(57)【特許請求の範囲】
【請求項１】
筐体の内部に収納される媒体を装着／排出する開口を有し、かつアクセッサの移動通路側を向いている面に前記媒体を強制的に排出するための媒体強制排出スイッチを有するドライブ装置を前記筐体の内部に有し、前記筐体の外部から前記媒体強制排出スイッチを押下するための操作レバーを有し、
前記操作レバーが、前記アクセッサの移動通路側を向く前記開口を有する面と直交する前記筐体の側面から操作されるとともに、
前記操作レバーは、
ドライブ装置を入れるケースに回転可能に支持するための回転軸用の穴と、
外部からピンにより押下される力を受け止めるピン受け面と、
このピン受け面と直交する面に設けられて、前記ピン受け面で受けた力を前記媒体強制排出スイッチに伝達するスイッチ押し付け面と、を備え、
前記スイッチ押し付け面は、前記ピン受け面と直交する面内に複数設けられることを特徴とするライブラリ装置。
【請求項２】
前記ピン受け面は、周囲から窪んでいることを特徴とする請求項１に記載のライブラリ装置。
【請求項３】
前記ピン受け面は、窪みを形成すべくピン受け面を囲む凸部が上方に開口することを特徴とする請求項２に記載のライブラリ装置。
【発明の詳細な説明】
【技術分野】
【０００１】
本発明は、複数データカートリッジ収納セル（ディープセル）からデータカードリッジを選択的に取り出して、ドライブ装置によってデータの読み取り／書き込みを行うライブラリ装置に関し、特に、ドライブ装置に装着されたデータカートリッジを強制的に排出するライブラリ装置に関する。
【背景技術】
【０００２】
従来から、マガジンの複数のセル内にデータカートリッジを格納し、それらのデータカートリッジの中から所望のデータカートリッジを選択的に取り出して、ドライブ装置によってデータの読み取り／書き込みを行うライブラリ装置（データストレージシステム等と称される場合もある）が知られている。
【０００３】
図７に示すように、このライブラリ装置は、２つのマガジンがセルの開口部が向き合うように対向配置され、さらにそれらのマガジンの一方の端部の近傍に、ドライブ装置が配置されており、それらのマガジンとドライブ装置が略Ｕ字形を成すように配置されている。
【０００４】
しかし、２つのマガジン内の各セル及びドライブ装置の開口方向がいずれも異なるため、アクセッサ機構が大型となること等により、広い設置場所が必要となり、また、複雑な構成のアクセッサ機構はコストを高めてしまうこととなる。
【０００５】
そこで、図８に示すように、複数データカートリッジ収納セル（ディープセル）方式のセルを採用するとともに、マガジンとドライブ装置との開口方向とを一方向に揃えるレイアウトに変更することが考えられる。
【０００６】
このようにディープセルを用いたライブラリ装置が提案されてきており、例えば特許文献１には、収納可能な最大個数のデータカートリッジを収納してしまうことを未然に防止することができるディープセルおよびマガジンが記載されている。
【先行技術文献】
【特許文献】
【０００７】
【特許文献１】特願２００７−２５４０５１号
【発明の概要】
【発明が解決しようとする課題】
【０００８】
ところで、ライブラリ装置で使用するドライブ装置は、ライブラリ装置に内蔵されない単体の状態でも動作可能なように、ドライブ装置単体で制御している媒体強制排出スイッチを備えている。しかし、媒体の出し入れ操作は、この媒体強制排出スイッチを利用することなく、ライブラリ装置に接続するコネクタを通じて、制御信号のやり取りに基づいて行われる。
【０００９】
しかし、ライブラリ装置全体がハングアップした状態であっても、ドライブ装置単体で制御している媒体強制排出スイッチにより媒体を排出することが可能な場合があり、そのような場合は、最初に媒体を排出させて、保守作業に取り掛かることで、重要なデータが記録された媒体を確保した上で、スムーズに保守作業を行うことが可能である。
【００１０】
逆に、媒体の排出が行えない場合、重要な媒体の確保を最優先で行う必要があるため、ドライブ装置をライブラリ装置から取り外して、ドライブ装置を手動で動かしてイジェクト動作を行い、媒体確保する、という大変手間のかかる作業が必要となる。特に、現行のディープセル方式のライブラリ装置においては、簡単にドライブ装置の取り外しができず、装置カバーを外してドライブ装置を取り外す必要があるため、更に手間のかかる作業となる。あるいは、手動でイジェクト動作を行わずに媒体確保する方法として、ライブラリ装置全体をラックから取り外し、装置カバーを外した状態で通電し、ライブラリ装置内にあるドライブ装置のイジェクトボタンを手で押す、というようなやり方がある。しかし、装置をラックから取り外すこと自体、手間のかかる作業であり、また、装置カバーを外して通電し、手で触ることで漏電を起こす危険性や、アクセッサが誤動作してドライブ装置前に移動して手が挟まれる危険性もある。
【００１１】
とはいえ、媒体強制排出スイッチを利用しようとしても、ライブラリ装置に内蔵されない単体の状態でも動作可能なように、媒体強制排出スイッチを含む操作部は開口部側に配置されているが、ライブラリ装置においては、ドライブ装置の開口部がアクセッサの移動通路側を向いているため、外部から直接アクセスすることはできない。
【００１２】
そこで、本発明は、ディープセル方式を採用したライブラリ装置において、ドライブ装置の媒体を強制排出可能とする機構、ドライブユニットおよびライブラリ装置を提供することを目的とする。
【課題を解決するための手段】
【００１３】
本発明のライブラリ装置は、筐体の内部に収納される媒体を装着／排出する開口を有する面に前記媒体を強制的に排出するための媒体強制排出スイッチを有するドライブ装置を前記筐体の内部に有し、前記筐体の外部から前記媒体強制排出スイッチを押下するための操作レバーを有し、前記操作レバーが、前記ドライブ装置の前記開口を有する面と直交する筐体の側面から操作されることを特徴とする。
【発明の効果】
【００１４】
本発明によれば、ディープセル方式を採用したライブラリ装置の保守作業において、ドライブ装置の媒体を強制排出可能とする機構およびライブラリ装置を提供できる。
【図面の簡単な説明】
【００１５】
【図１】本発明の実施形態に係るドライブ装置の斜視図である。
【図２】本発明の実施形態に係るドライブユニットの斜視図である。
【図３】本発明の実施形態に係るスイッチ操作レバーの斜視図および上面図である。
【図４】本発明の実施形態に係る操作レバー単体の斜視図である。
【図５】本発明の実施形態に係るドライブユニットの背面図である。
【図６】本発明の実施形態に係るライブラリ装置（背面）の斜視図である。
【図７】従来のライブラリ装置（正面）の斜視図である。
【図８】ディープセル方式のライブラリ装置（正面）の斜視図である。
【発明を実施するための形態】
【００１６】
以下、図面を参照して本発明を実施するための形態について詳細に説明する。
【００１７】
図１は、本発明の実施形態に係るドライブ装置１００の斜視図である。図１に示すように、ライブラリ装置で使用するドライブ装置１００は、ライブラリ装置に内蔵されない単体の状態でも動作可能なように、ドライブ装置１００の開口部と同じ面にドライブ操作部１１０が配置されており、操作部には媒体強制排出スイッチ１１１を備えている。通常、ドライブ装置１００は、媒体をロードしドライブ内に引き込み、媒体の中のテープを引き出しドライブ内のリールに巻き取りながらテープへ書込又は読み込みを行い、ライブラリ装置からの信号により排出される。しかし、ライブラリ装置がハングアップするとこの信号が入らず、媒体を排出できない。ドライブ装置１００の媒体強制排出スイッチ１１１を押すと、ライブラリ装置からの信号と同じようにドライブから媒体を取り出すことが可能となり、テープを媒体に戻して、媒体をアンロードまで行う。
【００１８】
図２は、本発明の実施形態に係るドライブユニット２００の斜視図である。ドライブはコネクタ類の接続取り扱いを容易化するなど保守性を高めるため、ドライブ装置１００をケースに入れ、ドライブユニット（ドライブパック、ドライブスレッド）２００として取り扱うことがある。
【００１９】
図３は、本発明の実施形態に係るスイッチ操作レバー２１０の斜視図（ａ）および上面図（ｂ）である。スイッチ操作レバー２１０は、回転軸用の穴２１１を中心に操作レバーが回転するように取り付けられている。操作レバー２１０は、ボタンとケースの壁に挟まれてこれ以上動けなくなっている。この時、ボタンを押さない程度のわずかな隙間がある。
なお、操作レバー２１０は、振動などでのボタン誤操作を防ぐためにスプリングを取り付けてもよい。
【００２０】
図４は、本発明の実施形態に係る操作レバー２１０の斜視図である。操作レバー２１０は、回転軸用の穴２１１、ピン受け面２１２、スイッチ押し付け面２１３から構成される。ピン受け面２１２で、外部から差し込まれるピンを受け止め、回転軸２１１を中心として、スイッチ押し付け面２１３にその押す力を伝達する。なお、ピン受け面２１２は、外部から差し込まれるピンが外れてしまわないように、窪みを設けて確実にピンを受け止めることができるようになっている。また、スイッチ押し付け面２１３は、ドライブ装置の複数世代に対応できるように、複数の面を設けてもよい（図４では、２つの面を設けている）。
【００２１】
図５は、本発明の実施形態に係るドライブユニット２００の背面図である。ドライブユニットのプレートに設けられたレバー操作穴２０１は、外部からこの穴に細いピンを挿し、操作レバー２１０のピン受け面２１２を押すことによって、操作レバー２１０を回転させスイッチを押す。
【００２２】
図６は、本発明の実施形態に係るディープセル方式ライブラリ装置３００（背面）の斜視図である。レバー操作穴２０１が背面に来るように実装されている。ここからピンを差し込むことにより、操作レバー２１０を押すことが出来る。
【符号の説明】
【００２３】
１００  ドライブ装置
１１１  ドライブ装置  操作部
２００  ドライブユニット（ケース）
２０１  レバー操作穴
２１０  操作レバー
２１１  操作レバー  回転軸用の穴
２１２  操作レバー  ピン受け面
２１３  操作レバー  スイッチ押し付け面
３００  ディープセル方式ライブラリ装置
【図１】
0005545712.tif 000002
【図２】
0005545712.tif 000003
【図３】
0005545712.tif 000004
【図４】
0005545712.tif 000005
【図５】
0005545712.tif 000006
【図６】
0005545712.tif 000007
【図７】
0005545712.tif 000008
【図８】
0005545712.tif 000009